(57)【要約】  本発明は、少なくとも１つの材料ウェブおよび／または複数の材料ウェブを有する少なくとも１つのウェブ条片を折り装置に引き込むための装置であって、上部構造が設けられており、折りフォーマが設けられており、上部構造内で搬送されて折り装置で折られた材料ウェブを個々の製品に個別化するための横断ち装置が設けられており、少なくとも１つのガイドレールが設けられており、ガイドレールに沿って、少なくとも１つの材料ウェブの先行端部の取付可能な保持部が、上部構造を通る材料ウェブの走行経路で移動可能にガイドされている形式のものに関する。少なくとも１つのガイドレールが、折りフォーマに沿ってガイドされている。
2007530383.tif 000002
【特許請求の範囲】
【請求項１】
少なくとも１つの材料ウェブ（０１）および／または複数の材料ウェブを有する少なくとも１つのウェブ条片を折り装置に引き込むための装置であって、
上部構造（０３）が設けられており、少なくとも１つの折り装置（０８）が設けられており、上部構造（０３）内で搬送されて折り装置（０８）で折られた材料ウェブ（０１）を個々の製品に個別化するための横断ち装置（２４）が設けられており、少なくとも１つのガイドレール（０９）が設けられており、該ガイドレール（０９）に沿って、少なくとも１つの材料ウェブ（０１）の先行端部（５４）の取付可能な保持部（５１，１９）が、上部構造（０３）を通る材料ウェブ（０１）の走行経路で移動可能にガイドされている形式のものにおいて、
少なくとも１つのガイドレール（０９）が、折りフォーマ（０８）に沿ってガイドされていることを特徴とする、少なくとも１つの材料ウェブおよび／または複数の材料ウェブを有する少なくとも１つのウェブ条片を折り装置に引き込むための装置。
【請求項２】
少なくとも１つの材料ウェブ（０１）および／または複数の材料ウェブを有する少なくとも１つのウェブ条片を折り装置に引き込むための装置であって、
上部構造（０３）が設けられており、少なくとも１つの折り装置（０８）が設けられており、上部構造（０３）内で搬送されて折り装置（０８）で折られた材料ウェブ（０１）を個々の製品に個別化するための横断ち装置（２４）が設けられており、少なくとも１つのガイドレール（０９）が設けられており、該ガイドレール（０９）に沿って、少なくとも１つの材料ウェブ（０１）の先行端部（５４）の取付可能な保持部（５１，１９）が、上部構造（０３）を通る材料ウェブ（０１）の走行経路で移動可能にガイドされている形式のものにおいて、
ガイドレール（０９）が、横断ち装置（２４）を越えるまで配置されていることを特徴とする、少なくとも１つの材料ウェブおよび／または複数の材料ウェブを有する少なくとも１つのウェブ条片を折り装置に引き込むための装置。
【請求項３】
少なくとも１つの材料ウェブ（０１）および／または複数の材料ウェブを有する少なくとも１つのウェブ条片を折り装置に引き込むための装置であって、
上部構造（０３）が設けられており、少なくとも１つの折り装置（０８）が設けられており、上部構造（０３）内で搬送されて折り装置（０８）で折られた材料ウェブ（０１）を個々の製品に個別化するための横断ち装置（２４）が設けられており、少なくとも１つのガイドレール（０９）が設けられており、該ガイドレール（０９）に沿って、少なくとも１つの材料ウェブ（０１）の先行端部（５４）の取付可能な保持部（５１，１９）が、上部構造（０３）を通る材料ウェブ（０１）の走行経路で移動可能にガイドされている形式のものにおいて、
複数のガイドレール（０９）が配置されており、ガイドレール部材（０９；１２；１３；３２；３３）が、横断ち装置（２４）の上流側でかつ少なくとも１つの折り装置（０８）の下流側で、ガイドレール（０９）と合流するようになっていることを特徴とする、少なくとも１つの材料ウェブおよび／または複数の材料ウェブを有する少なくとも１つのウェブ条片を折り装置に引き込むための装置。
【請求項４】
ガイドレール（０９）が、折りフォーマ（０８）の高さで、捩れている、請求項１、２または３項記載の装置。
【請求項５】
折りフォーマ（０８）が、横断ち装置（２４）の切断方向で変位可能になっている、請求項１、２または３項記載の装置。
【請求項６】
ガイドレール（０９）が、折りフォーマ（０８）の上流側で、材料ウェブ（０１）の走行方向で延伸可能な区分（４３）を備えている、請求項１、２または３項記載の装置。
【請求項７】
ガイドレール（０９）が、折りフォーマ（０８）の入口と横断ち装置（２４）との間でジョイント区分（４４；４６）を備えている、請求項１、２または３項記載の装置。
【請求項８】
ジョイント区分（４４；４６）が、ガイドレール（０９）における単数または複数の切込（４７）によって形成されている、請求項７記載の装置。
【請求項９】
ペーパーウェブ（０１）からガイドレール（０９）の間隔（Ｘ）が、フォーマ走入ローラ（１８）から折りフォーマ（０８）を越えて、該折りフォーマの尖端までほぼ一定になっている、請求項１、２または３項記載の装置。
【請求項１０】
ガイドレール（０９）が、底部（４９）と２つの側壁（４８）とを有する溝（２３）を備えており、該溝（２３）内で保持部（１９；５１）がガイドされており、切込（４７）が、少なくとも１つの側壁（４８）を分離している、請求項８記載の装置。
【請求項１１】
ガイドレール（０９）が、横断ち装置（２４）を越えるまで配置されている、請求項１または２記載の装置。
【請求項１２】
横断ち装置（２４）が、カッタ胴（２６）を備えている、請求項２または１１記載の装置。
【請求項１３】
横断ち装置（２４）が、保持システムを有する胴（２７）を備えている、請求項２または１１記載の装置。
【請求項１４】
横断ち装置（２４）が、折りブレード胴（２７）として形成された胴（２７）を備えている、請求項２、１１または１３記載の装置。
【請求項１５】
ガイドレール（０９）が、カッタ胴（２６）と折りブレード胴（２７）とによって形成されたギャップを通過するように配置されている、請求項２または１１記載の装置。
【請求項１６】
横断ち装置（２４）の上流側に、先行する損紙を材料ウェブ（０１）から分離するための切断装置（３６）が設けられている、請求項１から１４までのいずれか１項記載の装置。
【請求項１７】
横断ち装置（２４）の入口が、切断装置（３６）を通る材料ウェブ（０１）の通走方向の延長部分に配置されている、請求項１６記載の装置。
【請求項１８】
横断ち装置（２４）の入口が、鉛直方向で切断装置（３６）の下方に配置されている、請求項２または１１記載の装置。
【請求項１９】
ガイドレール（０９）が、切断装置（３６）と横断ち装置（２４）の入口との間で、屈曲した区分（３７）を有していて、かつ横断ち装置（２４）の入口の傍を通って延びている、請求項１６、１７または１８記載の装置。
【請求項２０】
ガイドレール（０９）の延長部分において、折りフォーマ（０８）の片側に、保持部（１９；５１）を収容するための貯蔵部（４１）が配置されている、請求項１から１９までのいずれか１項記載の装置。
【請求項２１】
貯蔵部（４１）が、螺旋形またはねじ山形状のレール部材によって形成されている、請求項２０記載の装置。
【請求項２２】
貯蔵部（４１）の上流側に、保持部（１９；５１）を各材料ウェブ（０１）から分離するための分離装置（１７；３０；３９）が配置されている、請求項２０または２１記載の装置。
【請求項２３】
分離装置（３９）が、屈曲した区分（３７）と貯蔵部（４１）との間でガイドレール（０９）に配置されている、請求項１９または２２記載の装置。
【請求項２４】
ガイドレール（０９）が、折り装置の上流側に配置された印刷装置のロール交換機から折り装置まで連続的に延びている、請求項１から２３までのいずれか１項記載の装置。
【請求項２５】
当該引込装置が、上部構造（０３）を通って横断ち装置（２４）に向かってウェブ条片のガイドされる複数の走行経路を有している、請求項１から２４までのいずれか１項記載の装置。
【請求項２６】
各走行経路に沿って延びる複数のレール部材（０９；１２；１３；３２；３３）が、横断ち装置（２４）の上流側でガイドレール（０９）と合流するようになっている、請求項２５記載の装置。
【請求項２７】
各走行経路に沿って延びる複数のレール部材（１２；１３；３２；３３）が、少なくとも１つの折り装置（０８）の下流側でガイドレール（０９）と合流するようになっている、請求項２６記載の装置。
【請求項２８】
レール部材（１２；１３；３２；３３）の合流箇所（２９；３１）に切換装置（３４）が配置されている、請求項２７記載の装置。
【請求項２９】
複数の走行経路のうちの少なくとも１つに、合流箇所（２９；３１）の上流側で、接着準備装置（１６）を通過するウェブ条片を局所的に粘着質にするための接着準備装置（１６）が配置されている、請求項２５から２８までのいずれか１項記載の装置。
【請求項３０】
接着準備装置（１６）が、接着テープ取付装置または接着剤供給装置である、請求項２９記載の装置。
【請求項３１】
各接着準備装置（１６）が、接着準備装置（１６）を通過するウェブ先端を検出するためのセンサ（１４）を備えている、請求項２９または３０記載の装置。
【請求項３２】
保持部（５１，１９）が、有端式のチェンを備えている、請求項１から３までのいずれか１項記載の装置。
【請求項３３】
チェンが、搬送方向に対して横向きに湾曲可能になっている、請求項３２記載の装置。
【請求項３４】
チェンが、縦軸線を有するローラを備えており、該縦軸線の仮想延長部が、湾曲状態で、一点で交差するようになっており、チェンが１０００ｍｍより小さな曲率半径（Ｒ５１）を有している、請求項３３記載の装置。
【請求項３５】
曲率半径（Ｒ５１）が、６００ｍｍより小さくなっている、請求項３４記載の装置。
【請求項３６】
複数の折りフォーマ（０８）が配置されていて、かつ各折りフォーマ（０８）に沿ってガイドレール（０９）がガイドされている、請求項１、２または３項記載の装置。
【請求項３７】
少なくとも２つの折りフォーマ（０８）が、相並んで配置されており、１つのガイドレール（０９）が、折りフォーマ（０８）の右側に沿って配置されており、１つのガイドレール（０９）が、別の折りフォーマ（０８）の左側に沿って配置されている、請求項３６記載の装置。
【請求項３８】
折りフォーマ（０８）の、専ら互いに反対に向いた側に、ガイドレール（０９）が配置されていて、かつ隣接する側には配置されていない、請求項３７記載の装置。
【請求項３９】
少なくとも１つのガイドレール（０９）が、折りフォーマ（０８）に沿ってガイドされている、請求項１記載の装置。
【請求項４０】
少なくとも１つのガイドレール（０９）が、少なくとも１つの、折りフォーマ（０８）の、搬送方向に対して鋭角に傾斜した側に沿ってガイドされている、請求項１記載の装置。
【請求項４１】
少なくとも２つのロール交換機が配置されており、各ロール交換機から、ガイドレール（０９）が、折り装置（０８）まで延びている、請求項２４記載の装置。
【請求項４２】
ガイドレール（０９）が、折りフォーマ（０８）に対して間隔を有して配置されている、請求項１、２、３、３９または４０記載の装置。
【請求項４３】
少なくとも１つのガイドレール（０９）が、折りフォーマ（０８）の平面図に関して、折りフォーマ（０８）の側縁に対してほぼ平行に延びている、請求項１記載の装置。
【請求項４４】
少なくとも１つの材料ウェブ（０１）および／または複数の材料ウェブを有する少なくとも１つのウェブ条片を折り装置に引き込む方法であって、
上部構造（０３）を用い、少なくとも１つの折り装置（０８）を用い、上部構造（０３）内で搬送されて折り装置（０８）で折られた材料ウェブ（０１）を個々の製品に個別化するための横断ち装置（２４）を用い、ガイドレール（０９）を用い、該ガイドレール（０９）に沿って、少なくとも１つの材料ウェブ（０１）の先行端部（５４）の取付可能な保持部（５１，１９）を、上部構造（０３）を通る材料ウェブ（０１）の走行経路で移動可能にガイドする方法において、
−第１の材料ウェブ（０１）を、ガイドレール（０９）に沿って、レール部材（１２；１３；３２；３３）の１つがガイドレール（０９）と合流する合流箇所（２９；３１）に向かってガイドし、
−第２の材料ウェブを、レール部材（１２；１３；３２；３３）に沿って合流箇所（２９；３１）にガイドして、第１の材料ウェブ（０１）に取り付け、
−互いに取り付けられた材料ウェブ（０１）を、ガイドレール（０９）に沿って引き続きガイドして、横断ち装置（２４）に導入することを特徴とする、少なくとも１つの材料ウェブおよび／または複数の材料ウェブを有する少なくとも１つのウェブ条片を折り装置に引き込む方法。
【請求項４５】
第１の材料ウェブ（０１）の保持部（１９；５１）が合流箇所（２９；３１）を通過して、はじめて第２の材料ウェブを合流箇所（２９；３１）に向かってガイドする、請求項４４記載の方法。
【請求項４６】
少なくとも１つの材料ウェブ（０１）および／または複数の材料ウェブを有する少なくとも１つのウェブ条片を折り装置に引き込む方法であって、
上部構造（０３）を用い、少なくとも１つの折り装置（０８）を用い、上部構造（０３）内で搬送されて折り装置（０８）で折られた材料ウェブ（０１）を個々の製品に個別化するための横断ち装置（２４）を用い、ガイドレール（０９）を用い、該ガイドレール（０９）に沿って、少なくとも１つの材料ウェブ（０１）の先行端部（５４）の取付可能な保持部（５１，１９）を、上部構造（０３）を通る材料ウェブ（０１）の走行経路で移動可能にガイドする方法において、
−第１の材料ウェブ（０１）を、ガイドレール（０９）に沿って、レール部材（１２；１３；３２；３３）の１つがガイドレール（０９）と合流する合流箇所（２９；３１）に向かってガイドし、
−第１の材料ウェブ（０１）の保持部（１９；５１）が合流箇所（２９；３１）を通過すると、第２の材料ウェブを、レール部材（１２；１３；３２；３３）に沿って合流箇所（２９；３１）に向かってガイドして、引き続き合流箇所（２９；３１）から、ガイドレール（９）に沿って、横断ち装置（２４）に向かってガイドすることを特徴とする、少なくとも１つの材料ウェブおよび／または複数の材料ウェブを有する少なくとも１つのウェブ条片を折り装置に引き込む方法。
【請求項４７】
第２の材料ウェブを、合流箇所（２９；３１）で、第１の材料ウェブ（０１）に取り付ける、請求項４６記載の方法。
【請求項４８】
材料ウェブ（０１）を、ガイドレール（０９）に沿って、横断ち装置（２４）を通ってガイドする、請求項４４から４７までのいずれか１項記載の方法。
【請求項４９】
−材料ウェブ（０１）を、横断ち装置（２４）の上流側に配置された切断装置（３６）を通ってガイドし、先ずガイドレール（０９）によって横断ち装置（２４）の傍を通ってガイドし、
−全ての材料ウェブ（０１）の先端（５４）が切断装置（３６）を通過すると、切断装置（３６）を作動させ、材料ウェブ（０１）を切断し、
−切断に際して形成される先行端部（５４）を、横断ち装置（２４）に導入する、請求項４４から４８までのいずれか１項記載の方法。
【請求項５０】
引込中に、横断ち装置（２４）を、位相に関して正確に連動させる、請求項４９記載の方法。
【請求項５１】
全ての材料ウェブ（０１）の保持部（１９；５１）を、先ずガイドレール（０９）に接続された貯蔵部（４１）で捕集し、印刷過程の終了後に、逆方向でガイドレール（０９）に沿って各出発位置に戻す、請求項４４から５０までのいずれか１項記載の方法。
【請求項５２】
少なくとも１つの材料ウェブ（０１）および／または複数の材料ウェブを有する少なくとも１つのウェブ条片を印刷機の折り装置に引き込む方法であって、
印刷機または折り装置が、材料ウェブ（０１）を引き込む際に当接解除される少なくとも１つの引張ローラ対を備えるようにし、
−引込中、引張ローラ対を通る材料ウェブ（０１）の先行端部の通過を検出し、
−通過を検出したあとで、先行端部（５４）が折り装置の横断ち装置（２４）に到達するまえに、ローラ対を当接させて駆動制御し、ウェブ条片の引張り応力が、連続的な印刷運転のために設定された目標値に近似するようにすることを特徴とする、少なくとも１つの材料ウェブおよび／または複数の材料ウェブを有する少なくとも１つのウェブ条片を折り装置に引き込む方法。
【請求項５３】
少なくとも１つの材料ウェブ（０１）および／または複数の材料ウェブを有する少なくとも１つのウェブ条片を折り装置に引き込む方法であって、
上部構造（０３）を用い、少なくとも１つの折り装置（０８）を用い、上部構造（０３）内で搬送されて折り装置（０８）で折られた材料ウェブ（０１）を個々の製品に個別化するための横断ち装置（２４）を用い、ガイドレール（０９）を用い、該ガイドレール（０９）に沿って、少なくとも１つの材料ウェブ（０１）の先行端部（５４）の取付可能な保持部（５１，１９）を、上部構造（０３）を通る材料ウェブ（０１）の走行経路で移動可能にガイドする方法において、
−第１の材料ウェブ（０１）を、ロール交換機において保持部（５１；１９）に取り付け、
−第１の材料ウェブ（０１）を、保持部（５１；１９）で、少なくとも１つの印刷装置を通って、少なくとも１つの折りフォーマ（０８）を越えて、横断ち装置（２４）を通って搬送し、
−横断ち装置（２４）の下流側で、第１の材料ウェブ（０１）を、保持部（５１；１９）から分離することを特徴とする、少なくとも１つの材料ウェブおよび／または複数の材料ウェブを有する少なくとも１つのウェブ条片を折り装置に引き込む方法。
【請求項５４】
−別のロール交換機において第２の材料ウェブ（０１）を別の保持部（５１；１９）に取り付け、
−第２の材料ウェブ（０１）を、別の保持部（５１；１９）で、少なくとも１つの印刷装置を通って、少なくとも１つの折りフォーマ（０８）を越えて、横断ち装置（２４）を通って搬送する、請求項５３記載の方法。
【発明の詳細な説明】
【技術分野】
【０００１】
本発明は、請求項１、２、３、４４、４６、５２または５３の上位概念に記載の形式の、少なくとも１つの材料ウェブもしくは少なくとも１つのウェブ条片を折り装置に引き込むための装置および方法に関する。
【０００２】
たとえば国際公開第００／５６６５２号パンフレットから公知の折り装置には、上部構造と、少なくとも１つの折りフォーマと、横断ち装置とが設けられており、上部構造において、単数または複数の印刷装置から供給されたペーパーウェブがまとめてガイドされ、場合によっては縦裁ちされて、上下に載設され、折りフォーマにおいて、上部構造で単数または複数のペーパーウェブからまとめてガイドされたウェブ条片が縦折りされ、横断ち装置において、縦折りされたウェブ条片が断裁されて個々の製品が形成される。多くの場合横断ち装置は、回転するカッタ胴によって実現されており、ウェブ条片を切断するための、カッタ胴のナイフはグリッパ胴もしくは折りブレード胴における対向受けと協働する。この胴のグリッパは、横断ち装置によって個別化された製品を胴の表面に沿って把持して、折りブレード胴と折りフラップ胴との間の移行ギャップまで搬送し、そこで折りブレードが折りブレード胴から挿出し、これによって、保持された製品は、横方向中央線に沿って折りフラップ胴の折フラップに導入され、そうして横折りが行われる。
【０００３】
ペーパーウェブを新たに印刷機に引き込むために、欧州特許第０５５３７４０号明細書から、レールでガイドされたリンクチェン部材としての保持部を使用することが公知であり、保持部に、引き込まれたウェブの、斜めに切断された先行端部が取り付けられる。レールは、ウェブの設定走行経路の傍で、印刷機を通って折り装置の上部構造まで延びている。
【０００４】
そこでは、前掲国際公開第００／５６６５２号パンフレットに記載したように、ウェブが、突起を有するベルトの構成をした引張手段によって受け取られ、引張装置の突起は、ウェブの側方縁部に刺し込まれ、突起は、ウェブを、導入ローラを介して折りフォーマの上位縁部ならびに折りフォーマ自体に引っ張る。
【０００５】
折りフォーマに、ガイドレールおよびガイドレールに沿ってガイドされた保持部とは無関係な引張手段が設けられている場合、折りフォーマは、それぞれ処理されるウェブの幅に応じて、折りフォーマ上で折られたウェブが正確にセンタリングして横断ち装置に走入するように、変位させることができる。このことは横断ち装置および特に後続の横折り装置のエラーのない機能にとって重要である。
【０００６】
ドイツ連邦共和国特許出願公開第４２１０１９０号明細書には、引張ローラと折り胴との間に配置された切換装置の組み込まれた切断装置が開示されている。
【０００７】
ドイツ連邦共和国特許出願公開第１０１２８８２１号明細書には、引込中にペーパーウェブをまとめてガイドするための装置が記載されている。
【０００８】
米国特許第３１２５３３５号明細書には、ベルトを用いて材料ウェブを引き込むための装置が開示されている。
【０００９】
本発明の課題は、少なくとも１つの材料ウェブもしくは少なくとも１つのウェブ条片を折り装置に引き込む装置および方法を提供することである。
【００１０】
この課題は、本発明によれば、請求項１、２、３、４４、４６、５２または５３の特徴部に記載した装置または方法によって解決される。
【００１１】
折りフォーマに沿ってガイドされるガイドレールは、ウェブ条片を、少なくとも横断ち装置の直ぐ傍までガイドすることができ、横断ち装置の片側にウェブ条片を自動的に引き込むための補助手段を設けることはもはや不要である。なぜならばここでは連続的に延びるウェブ条片はもはや存在せず、個々の製品だけが存在するからである。
【００１２】
折りフォーマを通って移行する際に、保持部によって保持された材料ウェブに関して保持部を適当に方向付けするために、ガイドレールは、有利には折りフォーマの高さで捩られていて、有利には約９０°捩られている。
【００１３】
折り装置を、様々な幅のウェブ条片の処理に適合させて、それぞれセンタリングして横断ち装置および横折り装置を通ってガイドするために、折りフォーマは、有利には横断ち装置の長手軸線に対して平行に変位可能である。ガイドレールが折りフォーマの調節運動に追従できるようにするために、ウェブ条片の走行方向で折りフォーマの上流側に位置するガイドレールの区分は延伸可能であるのが望ましい。
【００１４】
折りフォーマの変位とは無関係に、横断ち装置に対するウェブ条片の正確な供給を保証するために、ガイドレールに、折りフォーマの入口と横断ち装置との間でジョイント区分を設けるのが望ましい。
【００１５】
ジョイント区分は、簡単な形式で、ガイドレールにおける単数または複数の側方切込によって実現可能である。これによってとりわけジョイント区分を越えてガイドレールを一体的に実現することが許容される。
【００１６】
有利には、ガイドレールは、溝、特に底部と２つの側壁とを有する縦溝を備えており、溝内で保持部がガイドされており、切込が、それぞれ側壁と底部とを分離するので、分離されない側壁は、比較的簡単に湾曲させることができる。
【００１７】
本発明の第１実施例によれば、ガイドレールは、横断ち装置を越えて延びているので、ウェブ条片は、ガイドレールに沿ってガイドされる保持部によって、横断ち装置を越えるまで引き込むことができる。したがって横断ち装置は、ウェブ条片の全での材料ウェブを引き込む間、開放状態で存在する必要があり、材料ウェブが完全に引き込まれてはじめて作動させることができ、これによってウェブ条片の先行区分を形成する損紙を分離することができる。
【００１８】
選択的に、横断ち装置の上流側に、先行する損紙をウェブ条片から分離するための切断装置を設けることができ、横断ち装置の入口は、切断装置を通るウェブ条片の通走方向の延長部分に配置されているので、損紙を分離すると、ウェブ条片の利用部分は、横断ち装置に走入し、しかもガイドレールによるガイドは不要である。
【００１９】
横断ち装置への切断されたウェブ条片の導入を簡単かつ確実にするために、横断ち装置の入口は、有利には鉛直方向で切断装置の下方に配置されているので、ウェブ条片の利用部分の先端（ウェブの始端）は、重力によってガイドされて、横断ち装置の入口に進入する。
【００２０】
ガイドレールは、折り装置のこのような構成では、有利には切断装置と横断ち装置の入口との間で屈曲していて、かつ横断ち装置の入口の傍を通って延びている。このような構成によって、横断ち装置と、折り装置の、横断ち装置に追従する部分とは、同時に折り装置もしくは共通の印刷機の、上流側に配置された部分と共に始動することができ、それも引き込もうとする材料ウェブが横断ち装置に到達するまえに始動することができるので、引込過程の開始と安定した運転条件の到達との間の時間が短縮され、ひいては始動に関する損紙の量が低減される。
【００２１】
ガイドレールの延長部分における、保持部を収容するための、折りフォーマの片側に配置された貯蔵部によって、引込過程に際して短い間隔で相前後して複数の材料ウェブを引き込むことが許容され、しかもガイドレールを別の材料ウェブの保持部のために解放するために、その間に材料ウェブの保持部を出発位置に戻す必要がない。
【００２２】
貯蔵部は、特に省スペースに、螺旋形またはねじ山形状のレール部材によって形成することができ、レール部材は、単数または複数の保持部を相前後して収容することができる。
【００２３】
有利には、貯蔵部の上流側に、保持部を材料ウェブから分離するための分離装置が配置されているので、保持部によって連行された材料ウェブの先行区分は、貯蔵部に収容する必要がない。
【００２４】
ガイドレールが横断ち装置の入口の傍で屈曲されている場合、分離装置は、有利にはガイドレールに沿って屈曲部と貯蔵部との間に配置されている。
【００２５】
ガイドレールは、折り装置の上流側に配置された印刷装置のロール交換機から折り装置まで延在することができる。
【００２６】
複数の材料ウェブをまとめて処理するために、折り装置の上部構造は、有利には複数の走行経路を有しており、走行経路に沿って、それぞれ少なくとも１つの材料ウェブは、上部構造を通って横断ち装置に向かってガイドすることができ、走行経路に沿って延びる複数のレール部材は、横断ち装置の上流側でガイドレールと合流する。
【００２７】
とりわけ保持部が材料ウェブを引き込んだあとで出発位置に戻される場合、様々な材料ウェブの保持部を合流箇所で正確にガイドするために、有利にはレール部材の合流箇所にそれぞれ切換装置が配置されている。
【００２８】
複数の走行経路のうちの少なくとも１つに沿って、有利には合流箇所の上流側で接着準備装置が配置されており、接着準備装置は、通過するウェブ条片を局所的に粘着質にするのに役立つので、ウェブ条片は、既に引き込まれた第２のウェブ条片に付着して維持される。
【００２９】
接着準備装置は、両面接着テープまたは接着剤供給装置であってよい。
【００３０】
接着準備装置を適時作動させるために、有利には、接着準備装置に、通過するウェブ始端を検出するためのセンサが対応配置されている。
【００３１】
折り装置への材料ウェブの上述のような引込は、有利には以下のステップ：
−第１の材料ウェブを、ガイドレールに沿って、レール部材の１つがガイドレールと合流する箇所にガイドし、
−第２の材料ウェブを、レール部材に沿ってこの箇所にガイドして、第１の材料ウェブに取り付け、
−互いに取り付けられた材料ウェブを、ガイドレールに沿って引き続きガイドして、横断ち装置に導入する、
ステップを有している。
【００３２】
この場合それぞれ異なるステップの間で材料ウェブの１つを停止させる必要はなく、むしろ有利には、全ての材料ウェブは、引込を開始してから横断ち装置に到達するまで継続的に走行する。
【００３３】
有利には、材料ウェブの引込は相互的に同期化されていて、第１の材料ウェブの保持部が合流箇所を通過したあとではじめて第２の材料ウェブが合流箇所にガイドされ、したがって第２の材料ウェブの保持部の運動が妨げられることはない。
【００３４】
先ず第１の材料ウェブを、ガイドレールに沿って、レール部材の１つがガイドレールと合流する箇所にガイドし、第１の材料ウェブの保持部がこの箇所を通過すると、第２の材料ウェブをレール部材に沿ってこの箇所にガイドし、該箇所から引き続きガイドレールに沿って横断ち装置に向かってガイドするような引込方法も考えられる。
【００３５】
材料ウェブは横断ち装置を通過してガイドすることができ、この場合有利には、横断ち装置は、全ての材料ウェブが通過するまで静止し、これによって保持部が横断ち装置によって破損されることはない。選択的に材料ウェブは、横断ち装置の上流側に配置された切断装置を通って、先ずガイドレールによって、横断ち装置の傍を通過してガイドされ、保持部に保持された全ての材料ウェブの先端が切断装置を通過するとはじめて切断装置が作動され、これによって材料ウェブのウェブ条片を切断して、切断時に形成される先行端部は横断ち装置に進入することができる。
【００３６】
引込中に、予め位相に関して正確に連動される場合、横断ち装置は、ウェブ条片が横断ち装置に進入しはじめる時点で、ウェブ条片を正確に個別化して、製品が形成される。
【００３７】
折り装置もしくは折り装置を備えた印刷機の始動過程を追加的に短縮して、始動損紙の量を低減するために、有利には、印刷機または折り装置の引張ローラ対は、材料ウェブの引込中、停止されるが、材料ウェブまたはウェブ条片の先行端部が引張ローラを通過し、この通過が検出されると、直ちに始動され、引張りローラ対の１つによって及ぼされる引張負荷が持続的な印刷運転にとって設定された目標値に近似するように駆動制御される。
【００３８】
次に図面につき本発明の実施例を詳しく説明する。
【００３９】
図１には、本発明による折り装置を側面図で概略的に示した。図示していない印刷装置から到来する材料ウェブ０１、たとえばペーパーウェブ０１は、冷却ローラスタンド０２を通走して、折り装置の上部構造０３に到達する。上部構造０３は、到来するペーパーウェブ０１を、相並んで位置する複数の部分ウェブに切断するための縦裁ち装置０４と、ターニングデッキ（Wendedeck）０６とを備えており、ターニングデッキ０６において、ペーパーウェブ０１の部分ウェブおよび場合によっては設けられる図示していない別のペーパーウェブは、変向され、走行方向（図１では左から右へ）に対して横向きに変位され、かつ／またはターニングされ、次いで上下に重ねられる。ターニングデッキ０６から、ペーパーウェブ０６の走行経路は、ウェブ長さを補償するため、かつ張力を制御するための補償ローラ０７の配置構造を越えて、折りフォーマ０８に延びている。
【００４０】
折りフォーマ０８および補償ローラ０７は、共通の架構に、図１における横方向で移動可能に保持されていて、かつ配置構造の理解を深めるために、図１において、互いにずらした２つの位置で示した。
【００４１】
折り装置０８の出口から、ペーパーウェブ０１は、下流側に向かって、ここでは詳説しない公知の構造を有する横裁ち装置２４と横折り装置とを通走する。ペーパーウェブ０１の走行経路に沿って、ガイドレール０９（図１において太い実線で示した）が延びている。ガイドレール０９は、冷却ローラスタンド０２への進入部分から折り装置０８の下位端部まで図示しているが、有利には中断せずに、折り装置の上流側に配置された、図１には示していない印刷装置のロール交換機から折り装置０８まで、またはこれを越えて延びている。
【００４２】
ガイドレール０９は、Ｕ字形または図２に示したようにＣ字形の横断面を有しており、その溝２３、特に縦溝２３内で、それぞれチェン部材５１がガイドされている。チェン部材５１は、交互に１セグメントもしくは２セグメントから成るリンク５２；５３から形成されており、リンク５２；５３のうちの少なくとも１つが、溝２３から突出するアーム１９を支持している。図２では、隣接する２つのリンク５３が協働して１つのアーム１９を支持している。チェン部材５１およびアーム１９は、以下に保持部５１，１９とも記載する。アーム１９の端部にフックが設けられており、これにより、フックに巻き掛けられたループによって、新たに引き込もうとするペーパーウェブ０１の先行端部５４もしくは先行端部５４と結合された引込尖端部を取り付けることができる。
【００４３】
１セグメントから成るリンク５２は、それ自体弾性的であり（たとえば弾性材料から一体的に製作されているかまたはばね鋼などから成る弾性的な中間部材（図２に示していない）を有している）、かつチェン部材５１の、ガイドレール０９の縦方向に対して平行な軸線を中心とする捩れを実現し、かつチェン部材５１の、ペーパーウェブ０１の成す平面に対して垂直の軸線を中心とする湾曲を実現する。
【００４４】
ガイドレール０９には、一定間隔でモータ（図示していない）が取り付けられており、モータは、それぞれ１つのチェン車（スプロケット）を支持しており、チェン車は、溝２３におけるガイドレール０９の側でギャップを通って作用し、かつ場合によってはチェン車の位置に存在するチェン部材５１のリンク５２，５３の間に作用する。チェン部材５１の長さは、ガイドレール０９に沿って相前後して位置する２つのチェン車の間の間隔よりも僅かに大きく選択されているので、チェン部材５１がガイドレール０９に沿って搬送される場合に、常に少なくとも１つのチェン車がチェン部材５１と係合して、チェン部材５１を駆動するよう保証されている。したがってペーパーウェブ０１を引き込むためには、ペーパーウェブ０１の先行端部５４を、それぞれチェン部材５１の、溝２３から突出するアーム１９に取り付けて、次いでペーパーウェブ０１を引き込むために、チェン部材５１をガイドレール０９に沿って運動させればよい。
【００４５】
図３には、図１と同一方向でみて、折り装置０８とその周辺部を拡大して示した。ガイドレール０９の延伸経路もしくはガイドレール０９によって引き込まれるペーパーウェブ０１の走行経路は、図３において一点鎖線で示した。合流ガイドローラ１１において、波線もしくは実線で示した別の２つのレール部材１２；１３が、ガイドレール０９と合流する。各レール部材１２；１３に、ガイドレール０９との合流点の直ぐ手前（上流側）で、引き込まれるペーパーウェブ０１の存在を検出するためのセンサ１４、たとえば光電池、ならびに接着手段１５を取り付けるための接着準備装置１６が設けられている。接着準備装置１６は、一塗りの液体接着剤を、レール部材１２；１３に沿って接着準備装置１６を通過するペーパーエーウェブ０１の先行区分に取り付けるように設計されており、そのような接着準備装置の構造は、たとえば欧州特許第０４７７７６９号明細書に記載されている。選択的に、接着準備装置１６として接着テープ取付装置も考えられ、接着テープ取付装置は、光電池１４がペーパーウェブ０１の進入を示すと、直ちにペーパーウェブ０１の幅方向で移動され、これによってペーパーウェブ０１に両面接着テープのストリップが取り付けられる。
【００４６】
接着準備装置１６は、複数の接着剤噴射ノズルから形成することもでき、接着剤噴射ノズルは、ペーパーウェブ０１の幅を超えて分配されており、接着材噴射ノズル１６にそれぞれ光電池１４が対応配置されており、これによってペーパーウェブ０１の先行縁部が接着剤噴射ノズルを通過する時点で、接着剤噴射ノズルを指示して、適量の接着剤をペーパーウェブ０１に噴射することができる。このことは、特に図５に示した、折りフォーマ０８の上方に位置する領域で看取される。
【００４７】
レール部材１２に沿ってガイドされるペーパーウェブ０１が合流ガイドローラ１１に到来する時点は、その時点において、既にガイドレール０９，１３に沿って走行するペーパーウェブ０１を引き込んだチェン部材５１が合流ガイドローラ１１を通過しているように選択されているので、レール部材１２から到来するチェン部材５１は、ガイドレール０９に移行して、ガイドレール０９に沿って引き続き搬送することができる。
【００４８】
チェン部材５１が合流ガイドローラ１１を完全に通過すると、直ちに適当な形式でレール部材０９，１３を介して別のペーパーウェブがガイドされ、既に合流ガイドローラ１１を越えて走行するペーパーウェブ０１に接着される。
【００４９】
そのようにして得られたウェブ条片（Bahnstrang；ウェブストランド）は、分離装置１７、たとえば回転カッタと対向ローラ（受けローラ）とを備えたフォーマ−分離装置１７を通過し、分離装置１７は、先端部分で既に引き込まれたペーパーウェブ０１に接着された、分離装置１７を通過する全てのペーパーウェブ、つまり特にレール部材１２；１３介して供給されたペーパーウェブにおいて、この位置ではもはや必要ではないアーム１９とペーパーウェブの先端部との間の結合部を分離するのに役立つ。
【００５０】
フォーマ走入ローラ１８で、ウェブ条片は新たに変向されて、折りフォーマ０８の、下向きに先細に延びる大きく傾いた表面に到達する。ウェブ条片は、折りフォーマ０８の側縁を介して引き込まれる間に、変向され、フォーマ走入ローラ１８の上流側で、図３の図平面に対して実質的に垂直に延びる向きから、図３の図平面に対して、実質的に平行に延びる向きに変向される。変向区間を越えてペーパーウェブ０１をガイドするために、ガイドレール０９は、フォーマ走入ローラ１８に続く区分２１で９０°捩られ、これについては、図４に、図面を判りやすくするためにガイドレール０９の長手方向でカットして示した。方向性を判りやすくするために、フォーマ走入ローラ１８および折りフォーマ０８の一部を示した。フォーマ走入ローラ１８の軸線は、図４の図平面に対して平行に向けられている。フォーマ走入ローラ１８を通過したあとで、ガイドレール０９の溝２３は、最初の段階ではまだフォーマ走入ローラ１８に向いており、保持部のアーム１９は、溝２３からフォーマ走入ローラ１８に向かって突出している。捩れた区分２１において、溝２３は、図４の図示方向でみて次第に手前に変向し、溝２３に把持されたチェンのピン２２およびチェン部材５２；５３が看取できるようになる。捩れた区分２１が終了すると、チェン部材５１の向きは９０°回動され、チェン部材５１に支持されたアーム１９は図４の図平面に対して横向きに突出する。付記しておくと、図４に示した３つのアーム１９は、同じチェン部材５１の３つのアーム１９を示しているのではなく、ガイドレールに沿った、それぞれ異なる運動段階における同一のアーム１９を示したものである。捩れによって、ペーパーウェブ０１は、折りフォーマ０８を通過したあとでも依然として正確にガイドすることができる。
【００５１】
ガイドレール０９のさらなる経過は、図３と同じ構造で９０°変向して示した図５に基づいて良好に理解することができる。折りフォーマ０８の下位の尖端部から、ガイドレール０９は、鉛直方向で搬送ローラの間を越えて下流側に延びており、搬送ローラは、ウェブ引込中は、互いに当接解除されており、これによってウェブ尖端部を支持するアーム１９の通過が妨げられることはない。ガイドレール０９は、横裁ち装置２４の断裁ギャップを通過ガイドされており、それもペーパーウェブ０１が横裁ち装置２４の断裁ギャップに導入されるように通過案内されている。横裁ち装置２４は、胴２６、たとえばカッタ胴２６と、胴２７、たとえばグリッパ胴２７および／または折りブレード胴２７とを備えており、胴２７に、図示していない硬質ゴムから成る対向受けが配置されており、対向受けは、横裁ち装置２４の運転中、カッタ胴２６のカッタと協働する。胴２７は、有利には折りブレード胴２７として形成されていて、かつ保持手段、たとえばグリッパまたはピンを備えている。ペーパーウェブ０１の引込中、横裁ち装置２４の胴２６；２７は、カッタ胴２６のカッタ２８が実質的にガイドレール０９に対して平行線上に向けられた図示の姿勢で位置するので、胴２６；２７の間でギャップが開いており、ギャップを通って、ペーパーウェブ０１は、引き込むことができる。
【００５２】
図１２には、チェン５１の有利な実施例を示した。チェン５１は、それぞれピン２２に支承されたローラを備えており、この場合ピン２２はリンクプレートによって相互間隔を有して結合されている。チェン５１がピン２２の縦軸線を中心とする旋回運動以外の運動を実施できるようにするために、たとえばリンクプレートにおける孔は、ピン２２の直径よりも幾分か大きくなっているので、チェン５１は、ピン２２の走行方向に対して横向きに、もしくは縦軸線方向で湾曲可能である。湾曲状態で、１０００ｍｍ、または有利には６００ｍｍを下回る、特に有利には５００ｍｍを下回る最大曲率半径Ｒ５１が生じる。
【００５３】
さらにまたピン２２は、縦方向で様々な直径を有して、特にボール状に形成することもできる。
【００５４】
図５には、折りフォーマ０８の下位の尖端部と横裁ち装置２４の入口との間に、別の２つの合流箇所２９；３１が示されており、合流箇所２９；３１において、別のレール部材３２；３３がそれぞれガイドレール０９に到来する。レール部材３２；３３は、たとえば折り装置の、図示していない別の折りフォーマを通走した別のウェブ条片をガイドするのに役立つ。接近するようにガイドされたウェブ条片を、ガイドレール０９に沿ってガイドされたウェブ条片に付着するために、レール部材３２；３３は、それぞれ光電池１４および接着準備装置１６を備えている。
【００５５】
構造および機能に関してフォーマ−分離装置１７に相当する分離装置３０、たとえば折り−分離装置３０は、横裁ち装置２４の前後でガイドレール０９に配置されている。下流側の折り−分離装置３０は、レール部材３２；３３を介して供給されたウェブ条片を保持部から分離するのに役立ち、上流側の折り−分離装置３０は、最初に引き込まれたペーパーウェブ０１（横裁ち装置２４に走入するウェブ条片の尖端を形成する）を保持部から分離するのに役立つ。
【００５６】
全てのペーパーウェブ０１が横裁ち装置２４を通って引き込まれると、横裁ち装置は作動させることができる。最初のステップで、引き込まれたウェブ条片の全てのペーパーウェブ０１の先端が分離される。
【００５７】
遅くとも全ての保持部が各ペーパーウェブ０１から分離されたあとで、保持部は、ガイドレール０９もしくはレール部材１２；１３；３２；３３に沿って、各出発位置に戻される。各出発位置に正確に保持部が戻されるよう保証するために、合流箇所に切換装置（ポイント）３４が設けられており、切換装置の姿勢は、自動的に制御され、これによって各保持部が割り当てられた出発位置に戻される。
【００５８】
図６には、図４と同等の図示方向で、４頁幅のペーパーウェブ０１を処理するための、相並んで位置する２つの折りフォーマ０８を備えた折り装置の１形態を示した。この形態では、各フォーマ０８に、横断ち装置２４を通ってペーパーウェブ０１をガイドするための独自のガイドレール０９が対応配置されている。原則として、２つのガイドレール０９は、横断ち装置２４を通過するまえに、互いにまとめることもでき、平行にガイドされたガイドレールの利点によれば、２つの保持部が同時に横断ち装置２４を通過できるので、ペーパーウェブ０１の引き込みに僅かな時間しか要求されず、全てのペーパーウェブ０１の保持部が横断ち装置２４を通過するまで引き込む必要のあるペーパーウェブの全体量は大幅に削減される。
【００５９】
図７および図１１には、横断ち装置２４の入口におけるガイドレール０９の延伸経過の選択的な実施例を示した。横断ち装置２４の入口の上流側に、引き込まれたウェブ条片を切断するための切断装置（Kappeinrichtung）３６が支承されている。ガイドレール０９は、切断装置３６を、垂直方向でみて横断ち装置２４の入口楔形部分の直ぐ上方で通過する。切断装置３６の下方で、ガイドレール０９は、カーブした区分３７を有していて、かつガイド板３８の上方で横向きに分離装置３９に向かって延びており、この場合分離装置３９は、分離装置３９を通過する各ペーパーウェブ０１の先行区分を保持部から分離する。分離装置３９の片側でガイドレスにされたウェブ条片は、自由落下し、かつ折り装置から落下する。保持部は、単数または複数の貯蔵部４１（ここでは渦巻き状に巻き取られたガイドレールとして示した）に引き続き搬送される。貯蔵部４１の選択的な省スペース構造形式は、有利には胴２６；２７の軸線に対して平行に延びる縦軸線を有する、ねじ山形状（螺旋形）に曲げられたガイドレールである。
【００６０】
この形態では、横裁ち装置２４の胴２６；２７は、全てのペーパーウェブ０１が最後まで引き込まれるまえに、予め折り装置の引張ローラまたは印刷機の、折り装置の上流側に配置された部分と位相同期して回転する。位相同期された回転が行われると、直ちに切断装置３６はウェブ条片を一度切断する。同時に、横断ち装置２４の楔形入口に配置された切換装置４２が実線で示した位置から破線で示した位置に移行し、これによってウェブ条片の、新たに形成される先行縁部は、確実に横裁ち装置２４に導入することができる。横裁ち装置は予めウェブ条片の切断時点で搬送速度に適合された回転速度で走行することができるので、安定した印刷条件を達成するのに必要である時間が短縮されて、印刷機の始動に際して形成される損紙の量が低減される。
【００６１】
この量をさらに低減するために、引張ローラ対（引張ローラ対をペーパーウェブ０１がロール交換機から横裁ち装置２４に向かう走行経路において通走し、また引張ローラ対はペーパーウェブ０１の引き込まれる間互いに当接解除されている）に、ペーパーウェブ０１の存在を検出するためにセンサ、たとえば光電池１４を設けることができ、引張りローラ対は、引張ローラ対を通るペーパーウェブ０１の通過を検出すると、直ちに指示され、引張ローラは互いに当接して駆動され、これによって設定された引張負荷が該当するペーパーウェブ０１に形成されるようにする。したがって既にペーパーウェブ０１の引込中に、安定した印刷運転にとって望ましい値の引張負荷の均等化が行われ、これによって同様に安定した条件を達成するために必要とされる時間が短縮される。
【００６２】
折り装置によって様々な幅のペーパーウェブ０１が処理されるよう所望される場合、ペーパーウェブ０１が横裁ち装置２４およびこれに追従する横折り装置を正確にセンタリングした状態で通走する、ということがエラーのない運転にとって重要である。このために図１に関して既に説明したように、胴２６；２７の軸線もしくは横裁ち装置２４の切断方向に対して平行方向の折りフォーマ０８の可動性が必要である。このことは、図３および図８に示した対比によって看取される。図３では、折フォーマ０８の位置は、折り装置において処理可能な最大幅を有するペーパーウェブ０１に関して設定されている。折りフォーマ０８の同じ位置で、２ａだけ狭いウェブを処理しようとすると、（図３の図示方向で）任意の、それぞれ横裁ち装置２４の左縁部で、幅ａのストリップが使用されず、これに対して縦折りは、最大幅のペーパーウェブ０１と同様に、横裁ち装置２４の右縁部に接して行われるようになる。このような狭幅のペーパーウェブ０１を正確に横裁ち装置２４に導入するために、図８に示したように、折りフォーマ０８と合流ローラ１１とレール部材１２；１３と補償ローラ０７とを支持する架構は、ａ／２だけ左側に移動させる必要がある。このことを実現するために、ガイドレール０９は、ターニングデッキ０６と補償ローラ０７との間の領域４３（図１参照）において入れ子式に引出可能であるか、または別の適当な形式で長さ変化可能であり、それぞれ折りフォーマ０８の先端部または脚部における領域４４；４６で、ある種のジョイント区分４４；４６として可撓性に形成されており、これによって折りフォーマ０８の占めることのできるあらゆる位置で、折り装置を通る貯蔵部４１までの保持部のスムーズな通走が実現される。
【００６３】
図９および図１０につき、そのような可撓性のガイドレール０９の有利な形態を説明する。図９には、可撓性の区分４４；４５；４６を平面図で示しており、図１０には、図９のＸ−Ｘ線の高さにおいて、図９のガイドレールを断面図で示した。断面図は、複数の切込４７のうちの１つを通って示したものであり、切込４７は、可撓性の領域４４；４５；４６において、ガイドレール０９から交互に異なる側に形成されていて、かつそれぞれ側壁４８を中断している。切込４７の高さで残存する側壁４８は、切込の設けられていないガイドレール０９よりも著しく簡単に湾曲できるようになっていて、特に一平面上のガイドレール０９の湾曲制御を達成し、しかも同時に捩れが生じることはない。
【００６４】
可撓性の領域４４；４５；４６の上方に位置する区分で左向きに曲げられる、ガイドレール０９の構成は、図９において破線で示した。切込４７は、方向性に応じて、交互に狭められるか広げられている。この原理の理解を深めるために、切込４７の幅および湾曲の程度は大げさに示したが、実際には、切込４７の幅および変形は、溝２３を通るチェン部材のスムーズな通走が妨げられない程度である。この要求は簡単に満たすことができる。なぜならばガイドレール０９の要求運動自由度は、数度を下回るものであり、個々の切込４７の拡開は、数が大きいほど、曲げに際して、小さくなっているからである。
【００６５】
引込過程に関して、有利な実施例では、ペーパーウェブ０１からのガイドレール０９の間隔Ｘは、折り構造全体を越えて、つまり少なくとも折られていないペーパーウェブ０１を搬送するフォーマ折りローラ１８から折りフォーマ０８の走行経路にわたって折りフォーマの尖端まで存在する。
【００６６】
引込過程は、有利には、ウェブ走行経路に対応配置された印刷装置によって、印刷装置が印刷を行わない間、行われる。
【図面の簡単な説明】
【００６７】
【図１】引込装置を概略的に示す側面図である。
【図２】ガイドレールと、引き込まれる材料ウェブのための、ガイドレール内でガイドされる保持部とを詳しく示す図である。
【図３】図１の図示方向で、引込装置を詳しく示す図である。
【図４】折りフォーマの入口領域を詳しく示す図である。
【図５】引込装置の一部を示す正面図である。
【図６】２つの折りフォーマを備えた上部構造の一部を示す正面図である。
【図７】図５に示した引込装置の変化形を示す図である。
【図８】図２と同等の、小さな幅を有するウェブ条片を処理する際の折り装置を詳しく示す図である。
【図９】折りフォーマの出口領域の高さでガイドレールを詳しく示す図である。
【図１０】ガイドレールの横断面図である。
【図１１】引込装置の１実施例を示す図である。
【図１２】チェンの有利な実施例を示す図ある。
【符号の説明】
【００６８】
０１  材料ウェブ、ペーパーウェブ、
０２  冷却ローラスタンド、
０３  上部構造、
０４  縦裁ち装置、
０６  ターニングデッキ、
０７  補償ローラ、
０８  折りフォーマ、
０９  ガイドレール、
１１  合流ガイドローラ、
１２  レール部材、
１３  レール部材、
１４  センサ、光電池、
１５  接着手段、
１６  接着準備装置、
１７  分離装置、フォーマ−分離装置、
１８  フォーマ走入ローラ、
１９  アーム、
２１  捩れた区分、
２２  ピン、
２３  溝、縦溝、
２４  横断ち装置、
２６  胴、カッタ胴、
２７  胴、グリッパ胴、折りブレード胴、
２８  カッタ、
２９  合流箇所、
３０  分離装置、折り−分離装置、
３１  合流箇所、
３２  レール部材、
３３  レール部材、
３４  切換装置、
３６  切断装置、
３７  カーブした区分、
３８  ガイド板、
３９  分離装置、
４１  貯蔵部、
４２  切換装置、
４３  領域、入れ子式、引き抜き可能、
４４  領域、可撓性、ジョイント区分、
４６  領域、可撓性、ジョイント区分、
４７  切込、
４８  側壁、
４９  底部、
５１  チェン部材、
５２  リンク、１セグメントの、
５３  リンク、  ２セグメントの、
５４  先行端部、
ａ  幅、
ａ／２  距離、
Ｘ  間隔、
Ｒ５１  曲率半径
【図１】
2007530383.tif 000003
【図２】
2007530383.tif 000004
【図３】
2007530383.tif 000005
【図４】
2007530383.tif 000006
【図５】
2007530383.tif 000007
【図６】
2007530383.tif 000008
【図７】
2007530383.tif 000009
【図８】
2007530383.tif 000010
【図９】
2007530383.tif 000011
【図１０】
2007530383.tif 000012
【図１１】
2007530383.tif 000013
【図１２】
2007530383.tif 000014
【手続補正書】
【提出日】平成17年11月30日(2005.11.30)
【手続補正１】
【補正対象書類名】明細書
【補正対象項目名】０００１
【補正方法】変更
【補正の内容】
【０００１】
本発明は、請求項１、２、３、４５、４７または５３の上位概念に記載の形式の、少なくとも１つの材料ウェブもしくは少なくとも１つのウェブ条片を折り装置に引き込むための装置および方法に関する。
【手続補正２】
【補正対象書類名】明細書
【補正対象項目名】０００８
【補正方法】変更
【補正の内容】
【０００８】
米国特許第３１２５３３５号明細書には、ベルトを用いて材料ウェブを引き込むための装置が開示されている。
欧州特許第０４１８９０３号明細書には、ベルトを用いて複数のウェブをロール交換機から折りフォーマまでウェブ輪転印刷機に引き込むための装置が記載されている。
ドイツ連邦共和国特許出願公開第１６１１２８３号明細書から、断裁された冊子を製作するための装置が公知であり、ここでは２つの断裁胴が相前後して配置されている。
欧州特許第１３３４９４０号明細書には、材料ウェブのための引込装置を備えた縦折りフォーマが開示されている。この場合材料ウェブは、第１の引込手段から縦折りフォーマの直前までガイドされ、そこからピンを備えた第２の引込手段によって受け取られる。ここではロール交換機から縦折りフォーマを越えるまでの移行のない連続的なガイドレールは設けられていない。
【手続補正３】
【補正対象書類名】明細書
【補正対象項目名】００１０
【補正方法】変更
【補正の内容】
【００１０】
この課題は、本発明によれば、請求項１、２、３、４５、４７または５３の特徴部に記載した装置または方法によって解決される。
【手続補正４】
【補正対象書類名】特許請求の範囲
【補正対象項目名】全文
【補正方法】変更
【補正の内容】
【特許請求の範囲】
【請求項１】
少なくとも１つの材料ウェブ（０１）および／または複数の材料ウェブを有する少なくとも１つのウェブ条片を折り装置に引き込むための装置であって、
上部構造（０３）が設けられており、少なくとも１つの折り装置（０８）が設けられており、上部構造（０３）内で搬送されて折り装置（０８）で折られた材料ウェブ（０１）を個々の製品に個別化するための横断ち装置（２４）が設けられており、少なくとも１つのガイドレール（０９）が設けられており、該ガイドレール（０９）に沿って、少なくとも１つの材料ウェブ（０１）の先行端部（５４）の取付可能な保持部（５１，１９）が、上部構造（０３）を通る材料ウェブ（０１）の走行経路で移動可能にガイドされており、少なくとも１つのガイドレール（０９）が、折りフォーマ（０８）に沿ってガイドされている形式のものにおいて、
折りフォーマ（０８）の下流側でかつ横断ち装置（２４）の上流側で、先行する損紙を材料ウェブ（０１）から分離するための切断装置（３６）が設けられており、ガイドレール（０９）が、切断装置（３６）と横断ち装置（２４）の入口との間で屈曲した区分（３７）を備えており、ガイドレール（０９）が、横断ち装置（２４）の入口の傍を通って延びていることを特徴とする、少なくとも１つの材料ウェブおよび／または複数の材料ウェブを有する少なくとも１つのウェブ条片を折り装置に引き込むための装置。
【請求項２】
少なくとも１つの材料ウェブ（０１）および／または複数の材料ウェブを有する少なくとも１つのウェブ条片を折り装置に引き込むための装置であって、
上部構造（０３）が設けられており、少なくとも１つの折り装置（０８）が設けられており、上部構造（０３）内で搬送されて折り装置（０８）で折られた材料ウェブ（０１）を個々の製品に個別化するための横断ち装置（２４）が設けられており、少なくとも１つのガイドレール（０９）が設けられており、該ガイドレール（０９）に沿って、少なくとも１つの材料ウェブ（０１）の先行端部（５４）の取付可能な保持部（５１，１９）が、上部構造（０３）を通る材料ウェブ（０１）の走行経路で移動可能にガイドされている形式のものにおいて、
ガイドレール（０９）が、折り装置の上流側に配置された印刷装置のロール交換機から折り装置の折りフォーマ（０８）を越えて連続的に延びており、ガイドレール（０９）が、横断ち装置（２４）を越えるまで配置されていることを特徴とする、少なくとも１つの材料ウェブおよび／または複数の材料ウェブを有する少なくとも１つのウェブ条片を折り装置に引き込むための装置。
【請求項３】
少なくとも１つの材料ウェブ（０１）および／または複数の材料ウェブを有する少なくとも１つのウェブ条片を折り装置に引き込むための装置であって、
上部構造（０３）が設けられており、少なくとも１つの折り装置（０８）が設けられており、上部構造（０３）内で搬送されて折り装置（０８）で折られた材料ウェブ（０１）を個々の製品に個別化するための横断ち装置（２４）が設けられており、少なくとも１つのガイドレール（０９）が設けられており、該ガイドレール（０９）に沿って、少なくとも１つの材料ウェブ（０１）の先行端部（５４）の取付可能な保持部（５１，１９）が、上部構造（０３）を通る材料ウェブ（０１）の走行経路で移動可能にガイドされている形式のものにおいて、
複数のガイドレール（０９）が配置されており、ガイドレール部材（０９；１２；１３；３２；３３）が、横断ち装置（２４）の上流側でかつ少なくとも１つの折り装置（０８）の下流側で、ガイドレール（０９）と合流するようになっていることを特徴とする、少なくとも１つの材料ウェブおよび／または複数の材料ウェブを有する少なくとも１つのウェブ条片を折り装置に引き込むための装置。
【請求項４】
ガイドレール（０９）が、折りフォーマ（０８）の高さで、捩れている、請求項１、２または３項記載の装置。
【請求項５】
折りフォーマ（０８）が、横断ち装置（２４）の切断方向で変位可能になっている、請求項１、２または３項記載の装置。
【請求項６】
ガイドレール（０９）が、折りフォーマ（０８）の上流側で、材料ウェブ（０１）の走行方向で延伸可能な区分（４３）を備えている、請求項１、２または３項記載の装置。
【請求項７】
ガイドレール（０９）が、折りフォーマ（０８）の入口と横断ち装置（２４）との間でジョイント区分（４４；４６）を備えている、請求項１、２または３項記載の装置。
【請求項８】
ジョイント区分（４４；４６）が、ガイドレール（０９）における単数または複数の切込（４７）によって形成されている、請求項７記載の装置。
【請求項９】
ペーパーウェブ（０１）からガイドレール（０９）の間隔（Ｘ）が、フォーマ走入ローラ（１８）から折りフォーマ（０８）を越えて、該折りフォーマの尖端までほぼ一定になっている、請求項１、２または３項記載の装置。
【請求項１０】
ガイドレール（０９）が、底部（４９）と２つの側壁（４８）とを有する溝（２３）を備えており、該溝（２３）内で保持部（１９；５１）がガイドされており、切込（４７）が、少なくとも１つの側壁（４８）を分離している、請求項８記載の装置。
【請求項１１】
ガイドレール（０９）が、横断ち装置（２４）を越えるまで配置されている、請求項１または２記載の装置。
【請求項１２】
横断ち装置（２４）が、カッタ胴（２６）を備えている、請求項２または１１記載の装置。
【請求項１３】
横断ち装置（２４）が、保持システムを有する胴（２７）を備えている、請求項２または１１記載の装置。
【請求項１４】
横断ち装置（２４）が、折りブレード胴（２７）として形成された胴（２７）を備えている、請求項２、１１または１３記載の装置。
【請求項１５】
ガイドレール（０９）が、カッタ胴（２６）と折りブレード胴（２７）とによって形成されたギャップを通過するように配置されている、請求項２または１１記載の装置。
【請求項１６】
横断ち装置（２４）の上流側に、先行する損紙を材料ウェブ（０１）から分離するための切断装置（３６）が設けられている、請求項２から１４までのいずれか１項記載の装置。
【請求項１７】
横断ち装置（２４）の入口が、切断装置（３６）を通る材料ウェブ（０１）の通走方向の延長部分に配置されている、請求項１６記載の装置。
【請求項１８】
横断ち装置（２４）の入口が、鉛直方向で切断装置（３６）の下方に配置されている、請求項２または１１記載の装置。
【請求項１９】
ガイドレール（０９）が、切断装置（３６）と横断ち装置（２４）の入口との間で、屈曲した区分（３７）を有していて、かつ横断ち装置（２４）の入口の傍を通って延びている、請求項１６、１７または１８記載の装置。
【請求項２０】
ガイドレール（０９）の延長部分において、折りフォーマ（０８）の片側に、保持部（１９；５１）を収容するための貯蔵部（４１）が配置されている、請求項１から１９までのいずれか１項記載の装置。
【請求項２１】
貯蔵部（４１）が、螺旋形またはねじ山形状のレール部材によって形成されている、請求項２０記載の装置。
【請求項２２】
貯蔵部（４１）の上流側に、保持部（１９；５１）を各材料ウェブ（０１）から分離するための分離装置（１７；３０；３９）が配置されている、請求項２０または２１記載の装置。
【請求項２３】
分離装置（３９）が、屈曲した区分（３７）と貯蔵部（４１）との間でガイドレール（０９）に配置されている、請求項１９または２２記載の装置。
【請求項２４】
ガイドレール（０９）が、折り装置の上流側に配置された印刷装置のロール交換機から折り装置まで連続的に延びている、請求項１から２３までのいずれか１項記載の装置。
【請求項２５】
当該引込装置が、上部構造（０３）を通って横断ち装置（２４）に向かってウェブ条片のガイドされる複数の走行経路を有している、請求項１から２４までのいずれか１項記載の装置。
【請求項２６】
各走行経路に沿って延びる複数のレール部材（０９；１２；１３；３２；３３）が、横断ち装置（２４）の上流側でガイドレール（０９）と合流するようになっている、請求項２５記載の装置。
【請求項２７】
各走行経路に沿って延びる複数のレール部材（１２；１３；３２；３３）が、少なくとも１つの折り装置（０８）の下流側でガイドレール（０９）と合流するようになっている、請求項２６記載の装置。
【請求項２８】
レール部材（１２；１３；３２；３３）の合流個所（２９；３１）に切換装置（３４）が配置されている、請求項２７記載の装置。
【請求項２９】
複数の走行経路のうちの少なくとも１つに、合流個所（２９；３１）の上流側で、接着準備装置（１６）を通過するウェブ条片を局所的に粘着質にするための接着準備装置（１６）が配置されている、請求項２５から２８までのいずれか１項記載の装置。
【請求項３０】
接着準備装置（１６）が、接着テープ取付装置または接着剤供給装置である、請求項２９記載の装置。
【請求項３１】
各接着準備装置（１６）が、接着準備装置（１６）を通過するウェブ先端を検出するためのセンサ（１４）を備えている、請求項２９または３０記載の装置。
【請求項３２】
保持部（５１，１９）が、有端式のチェンを備えている、請求項１から３までのいずれか１項記載の装置。
【請求項３３】
チェンが、搬送方向に対して横向きに湾曲可能になっている、請求項３２記載の装置。
【請求項３４】
チェンが、縦軸線を有するローラを備えており、該縦軸線の仮想延長部が、湾曲状態で、一点で交差するようになっており、チェンが１０００ｍｍより小さな曲率半径（Ｒ５１）を有している、請求項３３記載の装置。
【請求項３５】
曲率半径（Ｒ５１）が、６００ｍｍより小さくなっている、請求項３４記載の装置。
【請求項３６】
複数の折りフォーマ（０８）が配置されていて、かつ各折りフォーマ（０８）に沿ってガイドレール（０９）がガイドされている、請求項１、２または３項記載の装置。
【請求項３７】
少なくとも２つの折りフォーマ（０８）が、相並んで配置されており、１つのガイドレール（０９）が、折りフォーマ（０８）の右側に沿って配置されており、１つのガイドレール（０９）が、別の折りフォーマ（０８）の左側に沿って配置されている、請求項３６記載の装置。
【請求項３８】
折りフォーマ（０８）の、専ら互いに反対に向いた側に、ガイドレール（０９）が配置されていて、かつ隣接する側には配置されていない、請求項３７記載の装置。
【請求項３９】
少なくとも１つのガイドレール（０９）が、折りフォーマ（０８）に沿ってガイドされている、請求項１記載の装置。
【請求項４０】
少なくとも１つのガイドレール（０９）が、少なくとも１つの、折りフォーマ（０８）の、搬送方向に対して鋭角に傾斜した側に沿ってガイドされている、請求項１記載の装置。
【請求項４１】
少なくとも２つのロール交換機が配置されており、各ロール交換機から、ガイドレール（０９）が、折り装置（０８）まで延びている、請求項２４記載の装置。
【請求項４２】
ガイドレール（０９）が、折りフォーマ（０８）に対して間隔を有して配置されている、請求項１、２、３、３９または４０記載の装置。
【請求項４３】
少なくとも１つのガイドレール（０９）が、折りフォーマ（０８）の平面図に関して、折りフォーマ（０８）の側縁に対してほぼ平行に延びている、請求項１記載の装置。
【請求項４４】
ロール交換機から折りフォーマ（０８）を越えるまで中断せずに延びるガイドレール（０９）内で、搬送方向に対して横向きに湾曲可能なチェン部材（５１）が、材料ウェブ（０１）を引き込んで配置されている、請求項１、２または３記載の装置。
【請求項４５】
少なくとも１つの材料ウェブ（０１）および／または複数の材料ウェブを有する少なくとも１つのウェブ条片を折り装置に引き込む方法であって、
上部構造（０３）を用い、少なくとも１つの折り装置（０８）を用い、上部構造（０３）内で搬送されて折り装置（０８）で折られた材料ウェブ（０１）を個々の製品に個別化するための横断ち装置（２４）を用い、ガイドレール（０９）を用い、該ガイドレール（０９）に沿って、少なくとも１つの材料ウェブ（０１）の先行端部（５４）の取付可能な保持部（５１，１９）を、上部構造（０３）を通る材料ウェブ（０１）の走行経路で移動可能にガイドする方法において、
−第１の材料ウェブ（０１）を、ガイドレール（０９）に沿って、レール部材（１２；１３；３２；３３）の１つがガイドレール（０９）と合流する合流個所（２９；３１）に向かってガイドし、
−第２の材料ウェブを、レール部材（１２；１３；３２；３３）に沿って合流個所（２９；３１）に向かってガイドして、第１の材料ウェブ（０１）に取り付け、
−互いに取り付けられた材料ウェブ（０１）を、ガイドレール（０９）に沿って引き続きガイドして、横断ち装置（２４）に導入することを特徴とする、少なくとも１つの材料ウェブおよび／または複数の材料ウェブを有する少なくとも１つのウェブ条片を折り装置に引き込む方法。
【請求項４６】
第１の材料ウェブ（０１）の保持部（１９；５１）が合流個所（２９；３１）を通過して、はじめて第２の材料ウェブを合流個所（２９；３１）に向かってガイドする、請求項４５記載の方法。
【請求項４７】
少なくとも１つの材料ウェブ（０１）および／または複数の材料ウェブを有する少なくとも１つのウェブ条片を折り装置に引き込む方法であって、
上部構造（０３）を用い、少なくとも１つの折り装置（０８）を用い、上部構造（０３）内で搬送されて折り装置（０８）で折られた材料ウェブ（０１）を個々の製品に個別化するための横断ち装置（２４）を用い、ガイドレール（０９）を用い、該ガイドレール（０９）に沿って、少なくとも１つの材料ウェブ（０１）の先行端部（５４）の取付可能な保持部（５１，１９）を、上部構造（０３）を通る材料ウェブ（０１）の走行経路で移動可能にガイドする方法において、
−第１の材料ウェブ（０１）を、ガイドレール（０９）に沿って、レール部材（１２；１３；３２；３３）の１つがガイドレール（０９）と合流する合流個所（２９；３１）に向かってガイドし、
−第１の材料ウェブ（０１）の保持部（１９；５１）が合流個所（２９；３１）を通過すると、第２の材料ウェブを、レール部材（１２；１３；３２；３３）に沿って合流個所（２９；３１）に向かってガイドして、引き続き合流個所（２９；３１）から、ガイドレール（９）に沿って、横断ち装置（２４）に向かってガイドすることを特徴とする、少なくとも１つの材料ウェブおよび／または複数の材料ウェブを有する少なくとも１つのウェブ条片を折り装置に引き込む方法。
【請求項４８】
第２の材料ウェブを、合流個所（２９；３１）で、第１の材料ウェブ（０１）に取り付ける、請求項４７記載の方法。
【請求項４９】
材料ウェブ（０１）を、ガイドレール（０９）に沿って、横断ち装置（２４）を通ってガイドする、請求項４５から４８までのいずれか１項記載の方法。
【請求項５０】
−材料ウェブ（０１）を、横断ち装置（２４）の上流側に配置された切断装置（３６）を通ってガイドし、先ずガイドレール（０９）によって横断ち装置（２４）の傍を通ってガイドし、
−全ての材料ウェブ（０１）の先端（５４）が切断装置（３６）を通過すると、切断装置（３６）を作動させ、材料ウェブ（０１）を切断し、
−切断に際して形成される先行端部（５４）を、横断ち装置（２４）に導入する、請求項４５から４９までのいずれか１項記載の方法。
【請求項５１】
引込中に、横断ち装置（２４）を、位相に関して正確に連動させる、請求項５０記載の方法。
【請求項５２】
全ての材料ウェブ（０１）の保持部（１９；５１）を、先ずガイドレール（０９）に接続された貯蔵部（４１）で捕集し、印刷過程の終了後に、逆方向でガイドレール（０９）に沿って各出発位置に戻す、請求項４５から５１までのいずれか１項記載の方法。
【請求項５３】
少なくとも１つの材料ウェブ（０１）および／または複数の材料ウェブを有する少なくとも１つのウェブ条片を折り装置に引き込む方法であって、
上部構造（０３）を用い、少なくとも１つの折り装置（０８）を用い、上部構造（０３）内で搬送されて折り装置（０８）で折られた材料ウェブ（０１）を個々の製品に個別化するための横断ち装置（２４）を用い、ガイドレール（０９）を用い、該ガイドレール（０９）に沿って、少なくとも１つの材料ウェブ（０１）の先行端部（５４）の取付可能な保持部（５１，１９）を、上部構造（０３）を通る材料ウェブ（０１）の走行経路で移動可能にガイドする方法において、
−第１の材料ウェブ（０１）を、ロール交換機において保持部（５１；１９）に取り付け、
−第１の材料ウェブ（０１）を、保持部（５１；１９）で、少なくとも１つの印刷装置を通って、少なくとも１つの折りフォーマ（０８）を越えて、横断ち装置（２４）を通って搬送し、
−横断ち装置（２４）の下流側で、第１の材料ウェブ（０１）を、保持部（５１；１９）から分離することを特徴とする、少なくとも１つの材料ウェブおよび／または複数の材料ウェブを有する少なくとも１つのウェブ条片を折り装置に引き込む方法。
【請求項５４】
−別のロール交換機において第２の材料ウェブ（０１）を別の保持部（５１；１９）に取り付け、
−第２の材料ウェブ（０１）を、別の保持部（５１；１９）で、少なくとも１つの印刷装置を通って、少なくとも１つの折りフォーマ（０８）を越えて、横断ち装置（２４）を通って搬送し、
−保持部（５１；１９）で第１の材料ウェブ（０１）の通走される横断ち装置（２４）の下流側で、第２の材料ウェブ（０１）を、別の保持部（５１；１９）から分離する、請求項５３記載の方法。
【国際調査報告】
2007530383.tif 000015
2007530383.tif 000016
2007530383.tif 000017
2007530383.tif 000018
2007530383.tif 000019
2007530383.tif 000020
2007530383.tif 000021
2007530383.tif 000022
2007530383.tif 000023
2007530383.tif 000024
2007530383.tif 000025
2007530383.tif 000026
2007530383.tif 000027